(57)【要約】【課題】通気管や吸気弁を不要とし、排水中の固形物が引っ掛からない手段で固形物を破砕すると共に、水勢を減衰して器具排水流量のピークを緩和させ、排水管路の閉塞及び排水管路内での負圧の発生を抑制して排水トラップの封水破壊を防止できるようにした排水管路構造と、これに用いる管継手を提供する。【解決手段】縦排水管４と横排水管５との接続部分の管継手６の内部上面側に、縦排水管４を流下して管継手６の内部上面側に巻上がる排水に含まれている固形物を排水と共に衝突させて破砕する衝突破砕部６ｄを形成した排水管路構造とする。管継手６は縦排水管接続口６ｂと横排水管接続口６ｃと内部上面側に形成された衝突破砕部６ｄを備えた構成とする。衝突破砕部６ｄで固形物を破砕すると共に、水勢を減衰し、流速を減速し、器具排水流量のピークを緩和させ、排水管路の閉塞と負圧の発生を抑制して排水トラップの封水破壊を防止する。【選択図】図１
2010180656.tif 000002
【特許請求の範囲】
【請求項１】
縦排水管とその下流側の横排水管との接続部分の内部上面側に、縦排水管を流下して上記接続部分の内部上面側に巻上がる排水に含まれている固形物を排水と共に衝突させて破砕する衝突破砕部が形成されていることを特徴とする排水管路構造。
【請求項２】
上記接続部分において縦排水管の下端が横排水管の中心線から片側へ偏位し、上記衝突破砕部が反対側に偏位し又は偏位しないで上記接続部分の内部上面側に形成されていることを特徴とする請求項１に記載の排水管路構造。
【請求項３】
上記衝突破砕部に衝突させて破砕した固形物と排水を一時的に滞留させて横排水管へ流出させる中空膨出部が上記接続部分に形成されていることを特徴とする請求項１又は請求項２に記載の排水管路構造。
【請求項４】
上記衝突破砕部の衝突面が平坦面であることを特徴とする請求項１ないし請求項３のいずれかに記載の排水管路構造。
【請求項５】
上記衝突破砕部が下向きに尖った凸形状を有するものであることを特徴とする請求項１ないし請求項３のいずれかに記載の排水管路構造。
【請求項６】
縦排水管とその下流側の横排水管との接続部分に用いられる管継手であって、縦排水管の下端を接続する縦排水管接続口と、横排水管の上流側端を接続する横排水管接続口と、縦排水管を流下して管継手の内部上面側に巻上がる排水に含まれている固形物を排水と共に衝突させて破砕する、管継手の内部上面側に形成された衝突破砕部と、を備えていることを特徴とする管継手。
【発明の詳細な説明】
【技術分野】
【０００１】
本発明は排水管路構造、特に、縦排水管とその下流側の横排水管との接続部分で排水中の固形物を破砕すると共に、排水の水勢を減衰させて衛生器具設備の単位時間当たりの排水流量（以下、器具排水流量という）のピークを緩和することにより排水管路の閉塞を防止して、排水管路内に負圧が生じないように改良した排水管路構造と、これに用いる管継手に関する。
【背景技術】
【０００２】
衛生器具設備から多量の排水を排水管路に勢いよく流すと、排水管路が排水によって閉塞されやすくなり、このように排水が排水管路を閉塞したまま流れると、閉塞部分より上流側の排水管路内に負圧が発生して、衛生器具設備に設けられた排水トラップの封水破壊を生じる恐れがあった。特に、器具排水流量の多い水洗トイレからの排水管路に手洗いなどからの雑排水管が接続されている場合に上記の現象は起こりやすく、これを防止するために、水洗トイレからの排水管路の途中に通気管を設けて該通気管の上端に臭気逆流防止用のドルゴ弁を設ける等の手段が採られている（特許文献１参照）。
【０００３】
一方、多層建築物の各階を縦方向に貫いて配管された排水立て管と、この排水立て管に対して各階ごとに配設された排水集合管継手と、この排水集合管継手とトイレなどの衛生器具設備との間に接続された複数本の横枝管とから構成され、これらの横枝管のうちの２本が排水集合管継手に対向状態で接続された多層建築物の排水システムにおいて、左右の側壁が外側に膨出し且つ内部に起立片状の水衝部を備えた排水減速部材を上記横枝管の水平部に設けることにより、排水減速部材に流入した排水を水衝部に衝突させて左右に分流させ、分流させた左右の排水を水衝部の背面側で衝突させながら合流させて流出させるようにした排水システムが提案されている（特許文献２参照）。
【０００４】
また、室内衛生設備からの排水を排水集合管継手に導く横枝管を、他の横枝管と略対向状態で排水集合管継手に接続した多層建築物の排水システムにおいて、横枝管の水平部に、両方の側壁を外側に膨出させた形状の排水減速部材を設けると共に、この排水減速部材の内に、一方の側壁から少なくとも中心部まで達する排水衝突壁を底壁から突設した排水システムも提案されている（特許文献３）。
【先行技術文献】
【特許文献】
【０００５】
【特許文献１】特開２００３−９６８９２号公報
【特許文献２】特開２００８−１５７０００号公報
【特許文献２】特開２００８−１４４４７０号公報
【発明の概要】
【発明が解決しようとする課題】
【０００６】
しかしながら、前記特許文献１のような手段で水洗トイレの封水破壊を防止する場合は、排水管路の途中に通気管を接続、配管する作業が面倒であり、ドルゴ弁などの吸気弁も必要になることから、コストアップを招くという問題がある。
【０００７】
一方、前記特許文献２，３の排水システムは、横枝管を流れる排水の勢いを排水減速部材で弱めることによって、排水が排水集合管継手を飛び越えて対向する横枝管に流入しないように図ったものであり、横枝管内での負圧の発生を抑制して衛生器具設備の排水トラップの封水破壊を防止しようとしたものではないが、排水減速部材の流水断面積が横枝管の流水断面積より大きい場合には、排水減速部材によって排水の流れが停滞しても、停滞した排水が排水減速部材に貯水されて横枝管が満水状態になりにくいため、横枝管が満水状態になってサイフォン現象により衛生器具設備の排水トラップが破封されるのを防止することができる。しかしながら、前記特許文献２，３の排水減速部材のように、起立片状の水衝部や側壁から中央部に達する排水衝突壁が、排水減速部材の底壁から突設されたものは、横枝管を流れる排水中の固形物が水衝部や排水衝突壁に引っ掛かって排水減速部材の内部に残留しやすいため、残留固形物が臭気や虫の発生源となったり横枝管の閉塞の原因になったりする等の問題があり、排水を減速させる手段として好ましいとは言い難い。
【０００８】
本発明は上記事情の下になされたもので、その解決しようとする課題は、従来の通気管や吸気弁を不要とし、排水中の固形物が引っ掛かる恐れのない手段で固形物を破砕すると共に、水勢を減衰して器具排水流量のピークを緩和させることにより、排水管路の閉塞及び排水管路内での負圧の発生を抑制して排水トラップの封水破壊を防止できるようにした排水管路構造と、これに用いる管継手を提供することにある。
【課題を解決するための手段】
【０００９】
上記課題を解決するため、本発明に係る排水管路構造は、縦排水管とその下流側の横排水管との接続部分の内部上面側に、縦排水管を流下して上記接続部分の内部上面側に巻上がる排水に含まれている固形物を排水と共に衝突させて破砕する衝突破砕部が形成されていることを特徴とするものである。
【００１０】
本発明の排水管路構造では、上記接続部分において縦排水管の下端が横排水管の中心線から片側へ偏位し、衝突破砕部が反対側に偏位し又は偏位しないで上記接続部分の内部上面側に形成されていることが好ましい。
【００１１】
また、上記接続部分には、衝突破砕部に衝突させて破砕した固形物と排水を一時的に滞留させて横排水管へ流出させる中空膨出部が形成されていることが好ましい。
【００１２】
上記衝突破砕部は、その衝突面を平坦面としたものでもよく、また、下向きに尖った凸形状を有するものであってもよい。
【００１３】
一方、本発明に係る管継手は、縦排水管とその下流側の横排水管との接続部分に用いられる管継手であって、縦排水管の下端を接続する縦排水管接続口と、横排水管の上流側端を接続する横排水管接続口と、縦排水管を流下して管継手の内部上面側に巻上がる排水に含まれている固形物を排水と共に衝突させて破砕する、管継手の内部上面側に形成された衝突破砕部と、を備えていることを特徴とするものである。
【発明の効果】
【００１４】
本発明の排水管路構造では、縦排水管を流下した排水が縦排水管と横排水管との接続部分で内部上面側へ巻上がり、排水に含まれている固形物が排水と共に衝突破砕部に下方から衝突して破砕され、落下して横排水管へ流出する。固形物の中でも特に紙類は、破砕されないで横排水管へ流出すると、その下流側の落差の大きい縦排水管を流落する際に、縦排水管を塞ぐように展開して流下することがあり、排水量が少なく排水だけでは閉塞しないような場合でも縦排水管が紙類で閉塞される恐れがあるため、上記のように衝突破砕部で破砕することは排水管路の閉塞を防止する上で極めて有効である。しかも、本発明の排水構造では、衝突破砕部が接続部分の内部上面側に形成されているため、破砕された固形物は勿論、破砕されにくい固形物でも衝突破砕部に引っ掛かったまま接続部分に残留することはない。従って、残留固形物が臭気や虫の発生源となったり排水管路の閉塞の原因となる等の問題を解決することができる。
【００１５】
しかも、本発明の排水管路構造のように、縦排水管を流下した排水が接続部分の内部上面側に巻上がり、衝突破砕部に衝突して横排水管へ流出すると、水勢が減衰され、流速が弱められ、器具排水流量が適度に均されて器具排水流量のピークが緩和されるため、水洗トイレなどの衛生器具設備から一度に多量の排水を勢いよく流しても排水管路が閉塞し難くなる。従って、排水管路内での負圧の発生が抑制されるので、排水管路に接続されている衛生器具設備の排水トラップが負圧によって封水破壊されるのを防止することができる。
【００１６】
上記のように、本発明の排水管路構造は、縦排水管と横排水管との接続部分の内部上面側に衝突破砕部を形成することによって、排水中の固形物を破砕すると共に、排水管路の閉塞に伴う負圧の発生を抑制して衛生器具設備の排水トラップの封水破壊を防止するものであるから、前記特許文献１に記載されているような封水破壊防止用の通気管や吸気弁が全く不要となり、施工性の向上と施工費用の節減を図ることができる。
【００１７】
また、縦排水管と横排水管との接続部分において、縦排水管の下端が横排水管の中心線から片側へ偏位し、衝突破砕部が反対側に偏位して該接続部分の内部上面側に形成されたものは、片側に偏位した縦排水管から、反対側に偏位して内部上面側に形成された衝突粉砕部に向かって、排水が勢い良く巻上がって激しく衝突するため、排水中に含まれている固形物の破砕作用が向上すると共に、水勢の減衰作用、流速の減速作用、器具排水流量のピーク緩和作用が向上し、排水管路の閉塞及び負圧の発生を充分抑制することができる。尚、衝突破砕部が反対側に偏位しないで接続部分の内部上面側に形成されていても、片側に偏位した縦排水管から排水が勢い良く巻上がるので、反対側に偏位して衝突破砕部が形成されている場合に比べれば排水の衝突の激しさはやや低下するというものの、やはり良好な固形物の粉砕作用、水勢の減衰作用、流速の減速作用、器具排水流量のピーク緩和作用が発揮され、本発明の目的を充分達成することができる。
【００１８】
更に、縦排水管と横排水管との接続部分において中空膨出部を形成し、衝突破砕部で破砕された固形物と排水を該中空膨出部に一時的に滞留させて横排水管に流出させるようにしたものは、水勢が更に減衰され、流速が更に減速され、器具排水流量のピークが更に緩和されるので、排水管路の負圧抑制効果及び閉塞防止効果が一層向上することになる。
【００１９】
上記衝突破砕部は、その衝突面が平坦面であっても、排水が勢い良く巻上がって衝突すれば、排水中の固形物を充分破砕することができる。また、衝突破砕部が下向きに尖った凸形状を有するものである場合は、凸形状によって切断作用ないし引裂き作用が発揮されるので、破砕されにくい固形物でも破砕可能となる。
【００２０】
また、本発明の管継手を使用し、その縦排水管接続口と横排水管接続口に縦排水管の下端と横排水管の上流側端をそれぞれ差込んで縦排水管と横排水管を接続すると、縦排水管と横排水管との接続部分の内部上面側に、縦排水管を流下して該接続部分の内部上面側に巻上がる排水に含まれている固形物を排水と共に衝突させて粉砕する衝突粉砕部が形成された、本発明の排水管路構造を簡単に施工することができる。
【図面の簡単な説明】
【００２１】
【図１】本発明の一実施形態に係る排水管路構造の説明図である。
【図２】（ａ）（ｂ）（ｃ）はそれぞれ同排水管路構造に用いられる本発明の管継手の平面図、正面図、左側面図である。
【図３】図２の（ｃ）のＡ−Ａ線断面図である。
【図４】本発明の他の実施形態に係る管継手の断面図である。
【図５】本発明の更に他の実施形態に係る管継手の断面図である。
【図６】本発明の更に他の実施形態に係る管継手の断面図である。
【図７】本発明の他の実施形態に係る排水管路構造の説明図である。
【図８】同排水管路構造に用いられる管継手の斜視図である。
【図９】図８のＢ−Ｂ線断面図である。
【発明を実施するための形態】
【００２２】
以下、図面を参照して本発明の具体的な実施形態を詳述する。
【００２３】
図１は水洗便器からの排水管路構造を例示したものであって、１はトイレの床面２に設置された洋式の水洗便器を示しており、この便器１の内部には、便鉢部１ａと、臭気の逆流を防止する排水トラップ部１ｂと、その下流側の排水通路部１ｃが連続して形成されている。この排水通路部１ｃの下端には、床面２に取付けられた接続アダプタ３を介して、床下の縦排水管４が接続されており、この縦排水管４と床下に配管された下流側の横排水管５は、横排水管５と反対側へ膨出する中空膨出部６ａを備えた管継手６を介して接続されている。
【００２４】
上記の縦排水管４は、エルボ継手４ｂを介して接続された下部の短管４ａが管継手６の中空膨出部６ａ側（横排水管５と反対側）に５°〜６０°、好ましくは１０°〜３０°の傾斜角（鉛直線方向に対する傾斜角）で傾斜しており、この傾斜した縦排水管下部の短管４ａによって、縦排水管４を流下した排水が管継手６の中空膨出部６ａの方に案内されてスムーズに中空膨出部６ａに流入するようになっている。また、上記の横排水管５には、手洗い７などの他の衛生器具設備からの雑排水管８も接続されている。
【００２５】
尚、この実施形態の排水管路構造では、縦排水管下部の短管４ａのみを傾斜させているが、縦排水管４の全体を管継手６の中空膨出部６ａの方へ傾斜させるように構成してもよい。
【００２６】
縦排水管４と横排水管５を接続する管継手６は、図２，図３に示すように、縦排水管４の下端（下部の短管４ａ）が接続される縦排水管接続口６ｂと、横排水管５の上流側端が接続される横排水管接続口６ｃと、この横排水管接続口６ｃとは反対側に膨出する先端が閉塞された円筒状の中空膨出部６ａと、この中空膨出部６ａの内部上面側に形成された衝突破砕部６ｄとを備えたものであって、縦排水管接続口６ｂから中空膨出部６ａに通じる流入筒部６ｅは、縦排水管下部の短管４ａと同じ傾斜角で横排水管５と反対側に傾斜している。
【００２７】
上記の衝突破砕部６ｄは、図３に矢印で示すように、縦排水管４（４ａ）から管継手６の中空膨出部６ａに流入して内部上面側に巻上がる排水に含まれている固形物を排水と共に下方から衝突させて破砕し、固形物による排水管路の閉塞を防止すると共に、衝突により水勢を減衰させ、流速を弱め、器具排水流量のピークを緩和させるものである。また、中空膨出部６ａは、衝突破砕部６ｄで破砕した固形物と排水を一時的に滞留させて横排水管へ流出させることにより、水勢を一層減衰させ、流速を一層弱め、器具排水流量のピークを一層緩和させるものである。
【００２８】
この管継手６の縦排水管接続口６ｂと流入筒部６ｅは、図２の（ａ）に示すように、円筒状の中空膨出部６ａの中心線ＣＬ１及び横排水管接続口６ｃの中心線ＣＬ２から片側（図２では右側）へ偏位して形成されており、流入筒部６ｅは、図２の（ｂ），図３に示すように、中空膨出部６ａの側部から底部へ回りこむように湾曲して形成されている。そのため、縦排水管４（４ａ）を流下した排水は、図３に矢印で示すように、湾曲した流入筒部６ｅを通り、円筒状の中空膨出部６ａの内周面に沿って勢い良く巻上がるようになっている。
【００２９】
一方、衝突破砕部６ｄは、図２，図３に示すように、中空膨出部６ａの上壁の一部を凹段形状に賦形することにより、縦排水管接続口６ｂと反対側に偏位して中空膨出部６ａの内部上面側に形成されている。衝突破砕部６ｄは偏位させないで形成してもよいが、上記のように縦排水管接続口６ｂと反対側に偏位して中空膨出部６ａの内部上面側に形成されていると、巻上がった排水が衝突破砕部６ｄに激しく衝突するので、固形物の破砕作用、水勢の減衰作用、流速の減速作用などが向上する。この衝突破砕部６ｄの衝突面（下面）は平坦面とされているが、上記のように勢い良く巻上がった排水が激しく衝突するので、平坦面であっても排水中の固形物を充分破砕することができる。
【００３０】
図４に示す管継手６１のように、衝突破砕部６ｄの衝突面は、鋸歯状の断面形状を有する凹凸面としてもよく、このような凹凸面であると、破砕作用が向上するので、固形物を容易に破砕できるようになる。この管継手６１の他の構成は、前記管継手６と同様であるので、同一部分に同一符号を付して説明を省略する。
【００３１】
また、図５に示す管継手６２のように、衝突破砕部６ｄは下向きに尖った凸形状に形成してもよい。凸形状の代表例は凸条や錐体であるが、そのいずれでもよく、更に凸形状の先端部分を鋸刃状に形成してもよい。このような凸形状の衝突破砕部６ｄを形成すると、凸形状によって切断作用ないし引裂き作用が発揮されるので、紙類などの破砕されにくい繊維質の固形物でも容易に破砕できるようになる。この管継手６２の他の構成は、前記管継手６と同様であるので、同一部分に同一符号を付して説明を省略する。
【００３２】
以上の管継手６，６１，６２の衝突破砕部６ｄは、中空膨出部６ａの上壁の一部を凹段形状あるいは谷形状に賦形することによって中空膨出部６ａの内部上面側に一体に形成されたものであるが、図６に示す管継手６３のように、所望形状の衝突破砕部材６０ｄを中空膨出部６ａの内部上面に接着剤等で固定することによって衝突破砕部６ｄを形成してもよい。
【００３３】
前記管継手６の中空膨出部６ａは、その横断開口面積（中空膨出部６ａの中心線ＣＬ１に対して垂直方向に切断したときの開口面積）が、横排水管５の横断開口面積（横排水管５の中心線に対して垂直に切断したときの開口面積）よりも大きい、一端が閉塞された横向き円筒状の中空膨出部に構成されており、縦排水管接続口６ｂ及び流入筒部６ｅを境にして横排水管接続口６ｃと反対方向に膨出して形成されている。そのため、中空膨出部６ａの内容積が増して排水の一時的な滞留量が多くなり、しかも、排水が横排水管５と反対方向に膨出する中空膨出部６ａに導かれて一時的に滞留した後、反転して横排水管５へ流出することになるので、良好な水勢の減衰作用、流速の減速作用、器具排水流量のピーク緩和作用が発揮されるようになっている。
【００３４】
また、この円筒状の中空膨出部６ａは傾斜して設けられ、その底面が横排水管接続口６ｃに近づくほど低くなるように勾配がつけられている。この底面の勾配は、横排水管５の流れ勾配（通常２／１００程度）以上とする必要があり、好ましくは３／１００〜５０／１００程度の勾配とされる。このように中空膨出部６ａの底面に勾配がつけられていると、中空膨出部６ａに一時的に滞留した排水と粉砕された固形物が、勾配のついた底面をスムーズに流れて横排水管５へ流出するので、粉砕された固形物が中空膨出部６ａに残留することはない。
【００３５】
尚、この管継手６は、中空膨出部６ａを横断面が真円形の円筒状に形成することによって、流入した排水が内周面に沿ってスムーズに巻上がるようにしているが、横断面が楕円形の円筒状に形成して、その内部上面側に衝突破砕部を設けてもよい。
【００３６】
中空膨出部６ａは、便器１などの衛生器具設備から一度に排水される総排水量の５％以上、好ましくは１０〜８０％を一時的に滞留させることが可能な内容積とすることが望ましく、そのような内容積の中空膨出部６ａであると、器具排水流量のピーク緩和作用、即ち、器具排水流量が極大となるピーク時の流量を減少させて器具排水流量を適度に均す作用を確実に発揮し、水勢減衰作用、減速作用と相乗して、排水管路の閉塞を充分防止することができる。中空膨出部６ａの更に好ましい内容積は、総排水量の２０〜６０％である。
【００３７】
このような管継手６は、熱可塑性合成樹脂で一体成形するか、或いは、複数に分割成形して接着剤等で接合一体化することにより製作すればよい。その場合、管継手６の点検とメンテナンスを容易に行うことができるように、管継手６全体又は中空膨出部６ａを透明な合成樹脂で成形し、中空膨出部６ａの適所に蓋付きのメンテナンス用開口部（不図示）を設けてもよい。
【００３８】
以上のような構成の管継手６を用いて、その縦排水管接続口６ｂに縦排水管４の下端（下部の短管４ａ）を接続し、横排水管接続口６ｃに横排水管５の上流側端を接続して施工される排水管路は、図１に示すように、縦排水管４と横排水管５との接続部分に、一端が閉塞された円筒状の中空膨出部６ａが横排水管５と反対方向に膨出して形成されると共に、この接続部分の中空膨出部６ａの内部上面側に衝突破砕部６ｄ（縦排水管４を流下して中空膨出部６ａの内部上面側に巻上がる排水に含まれている固形物を排水と共に衝突させて破砕する衝突破砕部）が形成された構造となっている。そして、横排水管５と反対側に傾斜した縦排水管４の下端（下部の短管４ａ）は横排水管５の中心線から片側へ偏位し、衝突破砕部６ｄは反対側へ偏位して上記のように中空膨出部６ａの内部上面側に形成されており、中空膨出部６ａの横断開口面積は横排水管５の横断開口面積よりも大きく、中空膨出部６ａの底面は横排水管５の流れ勾配以上の勾配を有している。
【００３９】
このような排水管路構造では、縦排水管４を流下してきた排水が、傾斜した縦排水管下部の短管４ａによって横排水管５と反対側の中空膨出部６ａの方へ案内され、湾曲した流入筒部６ｅから中空膨出部６ａに流入して、中空膨出部６ａの内周面沿いに勢い良く巻上がり、排水に含まれている固形物が排水と共に衝突破砕部６ｄに下方から激しく衝突して破砕される。そして、衝突破砕部６ｄで破砕された固形物と排水は、中空膨出部６ａの奥の方まで到達して一時的に滞留し、反転して横排水管５へ流出する。
【００４０】
上記のように、衝突破砕部６ｄで排水中の固形物が破砕されると、固形物、特に排水管路内で展開して広がる紙類によって排水管路が閉塞される心配が解消され、しかも、衝突破砕部６ｄが中空膨出部６ｄの内部上面側に形成されているので、破砕された固形物は勿論、破砕されにくい固形物でも衝突破砕部６ｄに引っ掛かることなく、勾配のついた中空膨出部６ｄの底面を排水と共にスムーズに流れて横排水管５へ流出する。従って、破砕された固形物は勿論、破砕されにくい固形物でも中空膨出部６ｄに残留することはないので、残留固形物が臭気や虫の発生源となったり、排水管路の閉塞の原因となる等の問題を解決することができる。
【００４１】
また、上記のように、中空膨出部６ｄの内部で巻上がった排水が衝突破砕部６ｄに衝突すると、水勢が減衰されると共に、流速が減速され、このように水勢や流速が弱められた排水と破砕された固形物が中空膨出部６ａに一時的に滞留して横排水管５へ流出すると、水勢が更に減衰され、流速が更に減速され、器具排水流量のピークが充分緩和されるので、便器１から一度に多量の排水を勢い良く流しても排水管路が閉塞し難くなる。従って、排水管路内での負圧の発生が抑制されるので、排水管路に接続されている便器１の排水トラップ１ｂや手洗い７の排水トラップ７ａ等が負圧によって封水破壊されるのを防止することができる。
【００４２】
上記のように、この排水管路構造は、縦排水管４と横排水管５との接続部分に衝突破砕部６ｄと中空膨出部６ａを形成することによって、排水中の固形物を破砕すると共に、排水管路の閉塞に伴う負圧の発生を抑制して衛生器具設備の排水トラップの封水破壊を防止するものであるから、封水破壊防止用の通気管や吸気弁が全く不要となり、しかも、本発明の管継手６を用いて縦排水管４と横排水管５を接続するだけで簡単に施工できるものであるから、施工費用の低減と施工性の向上を図ることができる。
【００４３】
図７に示す排水管路構造は、縦排水管４が垂直に配管されている点、及び、前記管継手６と異なる管継手６４を用いて縦排水管４と横排水管５を接続している点で、前記実施形態の排水管路構造と相違している。
【００４４】
この排水管路構造に用いる管継手６４は、図８，図９に示すように、中空膨出部６ａが、平坦な上壁部６ｆを有する一端が閉塞された半円筒状に形成されており、この半円筒状中空膨出部６ａの直径は縦排水管４及び横排水管５の直径よりも大きくなっている。そして、上壁部６ｆの上流側の片方のコーナー部に縦排水管接続口６ｂが形成され、中空膨出部６ａの下流側の側壁下部に横排水管接続口６ｃが形成されている。この横排水管接続口６ｃが形成された下流側の側壁は、図８に示すような先窄まり状の屈曲壁とされており、中空膨出部６ａに一時的に滞留した排水がスムーズに横排水管へ流出するようになっている。また、この中空膨出部６ａの上壁部６ｆの下面（内面）は、縦排水管４から中空膨出部６ａに流入して中空膨出部６ａの内周面沿いに巻上がる排水に含まれている固形物が、排水と共に下方から衝突して破砕される衝突破砕部６ｄとなっており、中空膨出部６ａの底壁部には横排水管５の流れ勾配に等しい勾配が付けられているが、管継手６と同様に横排水管５の流れ勾配以上の勾配を付けてもよいことは言うまでもない。
【００４５】
この実施形態の管継手６４では、衝突破砕部６ｄとなる中空膨出部６ａの上壁部６ｆの下面を平坦面に形成しているが、凹凸面に形成して破砕作用を向上させるようにしてもよい。また、縦排水管接続口６ｂや横排水管接続口６ｃは、短筒部を介して中空膨出部６ａの上壁部６ｆや側壁下部に形成されているが、直接、上壁部６ｆや側壁下部に形成してもよい。更に、縦排水管接続口６ｂは、上壁部６ｆの左右いずれか片側の側辺の中央付近に形成してもよい。
【００４６】
図７に示す排水管路構造の他の構成は、図１に示す前記実施形態の排水管路構造と同様であるから、図７において同一部材に同一符号を付し、重複する説明を省略する。
【００４７】
このような図７の排水管路構造も、縦排水管４から管継手６４の中空膨出部６ａに流入した排水が中空膨出部６ａの内周面沿いに勢い良く巻上がり、排水に含まれている固形物が排水と共に中空膨出部の上壁部６ｆ下面の衝突破砕部６ｄに下方から激しく衝突して破砕され、中空膨出部６ａに一時的に滞留してから、衝突破砕部６ｄに引っ掛かることなく横排水管５へ流出する。そのため、固形物、特に排水管路内で展開して広がる紙類によって排水管路が閉塞される心配が解消され、また、固形物が衝突破砕部６ｄに引っ掛かって中空膨出部６ｄに残留することもないので、残留固形物が臭気や虫の発生源となったり、排水管路の閉塞の原因となる等の問題を解決することができる。そして、衝突破砕部６ｄとの衝突によって水勢が減衰されると共に、流速が減速され、更に、中空膨出部６ａに一時的に滞留することによって、水勢が一層減衰され、流速が一層減速されて、器具排水流量のピークが充分緩和されるため、便器１から一度に多量の排水を勢い良く流しても排水管路の閉塞が生じ難くなり、排水管路内での負圧の発生が抑制されるので、便器１の排水トラップ１ｂや手洗い７の排水トラップ７ａが負圧によって封水破壊されるのを防止することができる。また、管継手６４を用いて縦排水管４と横排水管５を接続するだけで、封水破壊防止用の通気管や吸気弁を一切設けることなく簡単に施工できるので、施工費用の低減と施工性の向上を図ることもできる。
【符号の説明】
【００４８】
１    便器
４    縦排水管
４ａ  縦排水管下部の短管
５    横排水管
６，６１，６２，６３，６４  管継手
６ａ  中空膨出部
６ｂ  縦排水管接続口
６ｃ  横排水管接続口
６ｅ  流入筒部
ＣＬ１  中空膨出部の中心線
ＣＬ２  横排水管の中心線
【図１】
2010180656.tif 000003
【図２】
2010180656.tif 000004
【図３】
2010180656.tif 000005
【図４】
2010180656.tif 000006
【図５】
2010180656.tif 000007
【図６】
2010180656.tif 000008
【図７】
2010180656.tif 000009
【図８】
2010180656.tif 000010
【図９】
2010180656.tif 000011